(57)【要約】【課題】過去の番組表が取得でき、その過去の番組表の中で気になる番組の情報から、現在放送中の類似の番組や関連商品に関する情報を提示できるデジタル放送受信装置を提供する。【解決手段】このデジタル放送受信装置は、過去の番組に関する情報をパーシャルＴＳとして記録する。さらに、現在以降の番組および情報や商品情報を得るサイトと、過去の番組との関連付けを行うようにしている。これにより、同じ時期、同じ時間帯に放送されていた他の番組に対して、番組名、出演者情報等の番組情報を取得したいという欲求を満たすことができる。【選択図】図２
2008103971.tif 000002
【特許請求の範囲】
【請求項１】
デジタル放送受信装置において、過去の番組表を表示することを特徴とするデジタル放送受信装置。
【請求項２】
デジタルテレビジョン放送をパーシャルＴＳ（Transport Stream）として出力可能なデジタル放送受信装置において、パーシャルＴＳにＥＩＴ（Event Information Table）を記録することを特徴とするデジタル放送受信装置。
【請求項３】
請求項２に記載のデジタル放送受信装置において、パーシャルＴＳにＮＩＴ（Network Information Table）を記録することを特徴とするデジタル放送受信装置。
【請求項４】
請求項１に記載のデジタル放送受信装置において、過去の番組表データをパーシャルＴＳから取得することを特徴とするデジタル放送受信装置。
【請求項５】
請求項１に記載のデジタル放送受信装置において、過去の番組表データ上の番組情報と関連した現在放送中の番組情報を取得することを特徴とするデジタル放送受信装置。
【請求項６】
請求項５に記載のデジタル放送受信装置において、関連した現在放送中の番組を選局することを特徴とするデジタル放送受信装置。
【請求項７】
請求項５に記載のデジタル放送受信装置において、関連した現在放送中の番組を予約することを特徴とするデジタル放送受信装置。
【請求項８】
請求項１に記載のデジタル放送受信装置において、過去の番組表データ上の番組情報と関連した、ネットワーク上の情報を取得することを特徴とするデジタル放送受信装置。
【請求項９】
請求項８に記載のデジタル放送受信装置において、過去の番組表データ上の番組情報と関連した、ネットワーク上の商品情報を取得し、購入画面を表示することを特徴とするデジタル放送受信装置。
【請求項１０】
請求項１のデジタル放送受信装置において、過去の番組表データ上の番組を、ネットワーク上から取得することを特徴とするデジタル放送受信装置。
【発明の詳細な説明】
【技術分野】
【０００１】
本発明は、デジタル放送受信装置に関し、特に、デジタルテレビジョン放送の番組表の取得に関する。
【背景技術】
【０００２】
既に市場に出回っている製品には、デジタルテレビジョン放送をパーシャルＴＳ（Transport Stream）として出力し、その放送内容をＩＥＥＥ１３９４機器で録画することが可能な機能が備わっており、このパーシャルＴＳ内には記録された番組専用の情報が記録されている。
【０００３】
同様の録画装置であっても、パーシャルＴＳの記録ではなく、放送された映像をＭＥＰＧ（Moving Pictures Expert Group）エンコードして記録するタイプの録画機器においては、特許文献１のように、番組情報を別途記録する必要がある。
【０００４】
また、現在のデジタル放送受信装置には、ＥＰＧ（Electronic Program Guide）と呼ばれる電子番組表を表示する能力が備わっている。この番組表は、ＥＩＴ（Event Information Table）という番組情報から作成されており、番組表の表示範囲は、放送当日以降の８日間とするのが一般的となっている。
【特許文献１】特開２００２−３６９１３７号公報
【発明の開示】
【発明が解決しようとする課題】
【０００５】
しかしながら、デジタル放送受信装置における番組表は、将来の番組を知るものであるという立場であったため、過去の番組を参照することができなかったが、記録した番組を再生する際に、記録した番組そのものの番組情報を取得することは可能である。
【０００６】
しかし、「先週の土曜日９時からの放送は何だったのか？」といった過去の番組の番組名、出演者情報等の番組情報を知りたいというユーザの欲求を満たすことはできない。
また、デジタル放送受信装置に保存していない過去の番組に対しても、同様の欲求を持つことが考えられる。
【０００７】
本発明は、上述のような実情を考慮してなされたものであって、過去の番組表が取得でき、その過去の番組表の中で気になる番組の情報から、現在放送中の類似の番組や関連商品に関する情報を提示できるデジタル放送受信装置を提供することを目的とする。
【課題を解決するための手段】
【０００８】
上記の課題を解決するために、本発明のデジタル放送受信装置は、次のような構成である。
本発明のデジタル放送受信装置は、デジタルテレビジョン放送をパーシャルＴＳ（Transport Stream）として出力可能とし、さらに、パーシャルＴＳにＥＩＴ（Event Information Table）および／またはＮＩＴ（Network Information Table）を記録し、このパーシャルＴＳから過去の番組表データを取得して、過去の番組表を表示するようにしたものである。ここで、過去の番組表がパーシャルＴＳに記録されていない場合には、過去の番組表データ上の番組を、ネットワーク上の番組表を配信するサイトやメディア等から取得するようにしてもよい。
【０００９】
また、この番組表からは、過去の番組表データ上の番組情報と関連した現在放送中の番組情報を取得し、この情報によって、関連した現在放送中の番組を選局したり、番組を予約できる。
さらに、過去の番組表データ上の番組情報と関連した、ネットワーク上の情報を取得したり、あるいは、ネットワーク上の商品情報を取得し、購入画面を表示させることができる。
【００１０】
また、上述した構成のデジタル放送受信装置の各部として、コンピュータを機能させるためのプログラムを作成しておき、または、そのプログラムをコンピュータ読み取り可能な記録媒体に記録しておき、このプログラムをコンピュータで実行することによっても上記課題を解決することができる。
【発明の効果】
【００１１】
本発明によると、過去の番組表を表示することを可能とし、パーシャルＴＳを利用して過去の番組表の情報を保存、取得することで、低コストで過去の番組表をユーザに提示することができる。
ユーザは、録画した番組を再生するだけで、放送されていた当時の番組表を参照することが可能となり、ユーザビリティが向上した。
【００１２】
また、ユーザは、番組情報に関連したインターネット上の情報を参照したり、商品を購入することが可能となり、ユーザビリティが向上した。
また、パーシャルＴＳに過去の番組情報が記録されていないストリームを再生した場合でも、放送されていた当時の番組表を種々のメディアから参照することが可能となり、ユーザビリティが向上した。
また、表示された番組表に現在は存在しない放送局があったとしても、関連した現在放送中の番組を参照したり、予約することが可能となり、ユーザビリティが向上した。
【００１３】
さらに、ユーザに対するメリットだけではなく、過去の番組表で表示されている中で、気になる番組の情報から、現在放送中の類似の番組や関連商品に関する情報を提供できるので、「録画」という過去を記録しておく行為が、現在の商品需要を生むことにもなり、放送局側にもメリットがもたらされる。このように録画によるメリットを放送局側が積極的に活用することで、よりユーザが記録を残しやすい環境を提供することとなり、ユーザビリティの向上に繋がる。
【発明を実施するための最良の形態】
【００１４】
以下、図面を参照して本発明のデジタル放送受信装置に係る好適な実施形態について説明する。
図１は、本実施形態におけるデジタル放送受信装置１の構成を示す図である。
即ち、放送ＴＳ（Transport Stream）という形で受信用アンテナ２から取り込まれた放送波は、チューナ１１に供給されて、ユーザが放送ＴＳの中の特定のServiceを指定し、さらにその中のＥＳ（Elementary Stream）を指定することで、選局および復調処理が行われ、データ分離部１２へ供給される。ここで、放送波がスクランブルされている場合には、復調処理された信号が鍵によってデスクランブルされてからデータ分離部１２へ供給される。
【００１５】
データ分離部１２では、多重化された放送ＴＳから音声ＥＳ、映像ＥＳおよびデータＥＳ等のストリームを分離する。このうち音声および映像ストリームは、ＡＶ処理部１６に供給され、復号された音声データはスピーカ等で音声出力され、また、復号された映像データはＯＳＤ（On Screen Display）生成部１７からの映像と合成部１８で重畳処理されて、液晶ディスプレイ等に表示される。このＯＳＤ生成部１７は、視聴チャンネル、現在時刻、音量、各種設定画面、番組表などのＯＳＤ表示データをグラフィック映像として生成する。
【００１６】
また、データ分離部１２で分離されたデータＥＳ等は、番組表処理部１３および録画処理部１４に供給される。
番組表処理部１３は、データＥＳから分離した、ネーム記述子、コンテント記述子、パレンタルレート記述子、コンポーネント記述子、番組料金記述子などを用いて、番組名、番組ジャンル、視聴許可年齢制限、ビデオやオーディオの属性、番組の料金などの情報を示すＥＩＴをＥＰＧ情報として記憶部２０へ記憶する。この記憶部２０に保持するＥＰＧ情報としては、最初に長期的な１週間分のスケジュールを記述したＥＩＴ[schedule]で取得した情報を記憶し、その後に、現在番組の情報ＥＩＴ[present]および次番組の情報ＥＩＴ[following]で取得した情報に更新する。そして、ユーザがリモコンによって番組表表示を指示すると、この記憶部２０からＥＰＧ情報を読み出し、ＯＳＤ生成部１７で番組表のグラフィック映像に生成された後、合成部１８で重畳され液晶ディスプレイ等に表示される。
【００１７】
録画処理部１４では、ユーザから録画が指示されている場合、データＥＳから、MPEG2-Systemsで定義されている番組特定情報ＰＳＩ（Program Specific Information）を取り出し、番組配列情報ＳＩ（Service Information）から録画中の番組に関するＳＩＴ（Selection Information Table）を抽出する。
そして、映像ＥＳ、音声ＥＳ、データＥＳ、ＰＳＩおよびＳＩＴとからパーシャルＴＳを作成し、記憶部２０あるいはＩＥＥＥ１３９４インタフェース２２を介して接続されたレコーダ４に記憶させる。
【００１８】
再生処理部１５は、ユーザがリモコンにて録画された番組を再生するときに、記憶部２０あるいはＩＥＥＥ１３９４インタフェース２２を介してレコーダ４から入力されたパーシャルＴＳをデータ分離部１２へ供給する。そして、このパーシャルＴＳを分離して得た過去の番組表を現在の番組表にマージする。
【００１９】
主制御部１９は、当該デジタル放送受信装置１における全体制御を行う。
記憶部２０は、当該デジタル放送受信装置１の処理機能を果たすソフトウェアやデータ等を記憶し、電源を切られたときにも維持する情報を保持するときには不揮発性メモリ（例えば、ＲＯＭ（Read Only Memory）、ＥＥＰＲＯＭ（Electrically Erasable and Programming ROM）、フラッシュメモリやハードディスクなど）を用い、ソフトウェアの処理中に一時的に格納される情報には揮発性メモリ（例えば、ＲＡＭ（Random Access Memory））を用いる。
【００２０】
リモコンインタフェース２１は、ユーザからの指示を入力するためのリモートコントローラ３（以下「リモコン」と記述）とのインタフェースであり、リモコン３から光信号を受信し、受信した光信号を復調して通信データを取得して主制御部１９に送る。
リモコン３は、各種のキーを備えて当該デジタル放送受信装置１に各種指令を送出するものであり、キーを操作すると、そのキーに対応した指令を意味する信号が送出され、リモコンインタフェース２１がこの信号を受信して主制御部１９に送る。
【００２１】
ＩＥＥＥ１３９４インタフェース２２は、デジタル放送受信装置１と、レコーダ４、ＨＤＤ（Hard Disk Drive）やパーソナルコンピュータ等との間で、各種の情報等を送受信するのに用いる。
【００２２】
ネットワークインタフェース２３は、インターネット５に接続された各種のサイト（例えば、放送内容を配信するサイト、番組表を配信するサイト、情報発信サイトや商品購入サイト等）６とデジタル放送受信装置１とを接続するためのネットワークインタフェースである。
【００２３】
本実施形態では、上記のような一般的なパーシャルＴＳを作成する録画処理部１４を持っているデジタル放送受信装置１において、ＥＩＴをパーシャルＴＳに組み込む。
ここで、パーシャルＴＳに挿入するＥＩＴの種別は特に指定する必要は無く、どのＥＩＴを挿入しても問題とはならないが、一般的に番組表を構築するためのＥＩＴ[schedule]情報を入れておくことが望ましい。
また、パーシャルＴＳで記録しているＴＳとは別のＴＳの情報を保存するためには、ＥＩＴ[other]の保存が必要となる。地上デジタル放送のようにストリーム上にＥＩＴ[other]が送出されていない場合は、デジタル放送受信装置１の内部に蓄えた、他ＴＳのＥＩＴ情報から擬似的にＥＩＴ[other]を構築して、パーシャルＴＳへ出力するようにしてもよい。
【００２４】
再生時に、このようにＥＩＴを組み込んだパーシャルＴＳからＥＩＴを取り出すためには、通常のＥＩＴのセクション取得と同様の処理を行なうことで容易に取り出すことが可能であるため、追加のシステム開発が不要である。
【００２５】
さらに、パーシャルＴＳ上にＥＩＴに加えて、ネットワーク名、伝送路の物理的な条件、編成チャンネルとその種別の一覧の情報を示すＮＩＴ（Network Information Table）を記録するようにしてもよい。
ここで、パーシャルＴＳに挿入するＮＩＴの種別は特に指定する必要は無く、どのＮＩＴを挿入しても問題とはならないが、パーシャルＴＳで記録しているＴＳとは別のＴＳの情報を保存するためにはＮＩＴ[other]の保存が必要となる。しかし、地上デジタル放送のようにストリーム上にＮＩＴ[other]が送出されていない場合は、デジタル放送受信装置１の内部に蓄えた、他のＴＳのＮＩＴ情報から擬似的にＮＩＴ[other]を構築してパーシャルＴＳへ出力するようにしてもよい。
【００２６】
再生時に、このようにＮＩＴを組み込んだパーシャルＴＳからＮＩＴを取り出すためには、通常のＮＩＴのセクション取得と同様の処理を行なうことで容易に取り出すことが可能であるため、追加のシステム開発が不要である。
【００２７】
次に、上記のように構成されたデジタル放送受信装置１において、番組表の表示および操作について説明する。
【００２８】
図２は、番組表処理部１３の詳細な機能構成図である。図２おいて、番組表処理部１３は、番組表表示部１３１、番組表作成部１３２、番組表記憶部１３３、番組表取得部１３４とからなっている。
番組表記憶部１３３は、記憶部２０内に記憶されており、通常は、上述したように、データ分離部１２で分離したデータＥＳからＥＩＴを取得してＥＰＧ情報として記憶する。また、録画を再生するときには、パーシャルＴＳからＥＩＴやＮＩＴが取得されて、過去の番組情報が累積される。
【００２９】
番組表作成部１３２は、番組表記憶部１３３から番組表を作成し、番組表表示部１３１に供給する。この番組表には、番組の開始終了時刻の他に、番組名、出演者、脚本、原作、監督、出演者といった関連する情報が含まれており、場合によってはシリーズ記述子によって放送回数を含むものであってもよい。
また、指定された日時が過去のものであり、過去の番組表を表示するための情報が番組表記憶部１３３に存在しない場合には、この情報をパーシャルＴＳのＥＩＴやＮＩＴから取得し、番組表記憶部１３３に累積することで過去の番組に関する情報を得る。
このパーシャルＴＳにＥＩＴが含まれている場合には、パーシャルＴＳが記録された年月日を起点として８日間の情報が取得可能である。さらに、ＮＩＴが入ったパーシャルＴＳであれば、記録当時は存在していたが、現在は存在していない放送局に関する情報も取得可能となる。
【００３０】
番組表表示部１３１は、ユーザがリモコンによって指定した日時に応じて、番組表作成部１３２から供給された番組表を表示させ、この番組表をもとに番組の選局や予約を行わせることができる。
ここで、現在より古い日時の番組を表示するためには、日時送りによって番組表の表示枠を過去に遷移させていく方法や、日時指定により番組表の表示枠の先頭日時を直接指定する方法等があり、いずれの方法であっても構わない。
【００３１】
従来、デジタル放送受信装置における番組表は、過去となった番組情報は破棄されたり、装置の電源が切られると保存されないため、図３に示すように現在時刻（2006/09/05 12:14）より後の番組情報しか表示できない。
しかし、本実施形態のように、番組表を構成する情報を不揮発性の記憶部２０（番組表記憶部１３３）に残すようにしたことにより、装置１や記憶部２０の電源を切っても情報が保持されるので、次回電源投入時に過去の情報を取得することが可能となる。
【００３２】
このように、番組表の表示領域も過去の時刻を表示可能とすることによって、図４のように現在時刻（2006/09/05 12:14）より古い日時（2004/08/02）の番組表を表示することができるようになる。
【００３３】
また、番組表記憶部１３３に記憶された情報を利用することによって、現在放送中の番組の中で関連性が一定の閾値より高い番組を探し出すことができる。これにより、ユーザは直接現在放送中の番組を検索すること無く、番組を探すことが可能となる。
【００３４】
例えば、図３の番組２１を指定し、番組名、出演者、脚本、原作、監督、出演者が一定以上の割合で一致する放送を表示するようにできる。
この関連度を測る方法に関しては、次の方法およびそれらの方法を組み合わせて用いることができる。
【００３５】
（１）過去の番組のタイトルと同じタイトルを持つ番組を関連番組とする。
（２）カテゴリが同じである番組を関連番組とする。
（３）番組情報のキーワードを切り出し、これらのキーワードの共通部分が多い場合を関連番組とする。
（４）選択された番組がシリーズものの番組である場合には、次回放送予定の番組を関連番組とする。
（５）再放送がある番組の場合には、再放送の番組を関連番組とする。
（６）その他、使用者にとって便利な関連付けであればどのような関連付けの方法を用いてもよい。
【００３６】
そして、関連性が高いとされた番組が現在選局可能な状態にある場合は、過去の時間の番組表で指定した番組情報と関連した現在の番組情報を選局し、ユーザの番組視聴を可能とする。
この時、該当番組がまだ始まっておらず、選局可能な状態に無い場合は、過去の時間の番組表で指定した番組情報と関連した現在の番組情報を予約することで、さらにユーザビリティの向上が望める。
【００３７】
同様に、過去の時間の番組表で指定した番組情報と関連したネットワーク上の情報を番組表から取得するようにしてもよい。
例えば、ネットワーク上で番組名、出演者、脚本、原作、監督、出演者、放送回数といった情報を取得することで、より広い範囲で情報収集を行うことができる。
また、ネットワーク上の情報には、ユーザが指定した番組関連商品や、過去の時間の番組表で指定した番組情報と関連した現在の番組情報で関連度が高いと判断した情報に関連した商品が含まれる。
【００３８】
また、過去の時間の番組表で指定した番組情報と関連したネットワーク上の商品情報の中で、電子商取引が可能なページのみを取得するようにしておき、購入画面を表示するようにしてもよい。これにより、ユーザの興味ある商品を番組表から提案することが可能となる。
また、ここでのネットワークにデジタル放送受信装置用のＢＭＬ（Broadcast Markup Language）の２次リンクを含めることで、より番組との連動性を高めた商品提示が可能となる。
【００３９】
番組表取得部１３４は、パーシャルＴＳ内に番組表の情報が無い場合やメディアの容量の関係等で過去の情報を残すことが困難な場合には、外部から改めて情報を取得する。
例えば、インターネット５上に存在する週間番組表サイト６で利用されている番組情報のうち、過去の情報を取得する。この取得した過去の情報を番組表記憶部１３３に累積し、番組表作成部１３２で作成した番組表をデジタル放送受信装置１で表示可能とすることで、パーシャルＴＳ内に番組表用の情報が含まれていない場合でも過去の番組表を表示することが可能であり、パーシャルＴＳ内に番組表用の情報が含まれている場合と同等の操作を行なうことが可能となる。
ここで取得される過去の番組表は、デジタル放送受信装置内に保存されているデータ、記録再生装置に保存されているデータやインターネット上の各種サイトに限らず、各種記録メディアや放送波等の様々な場所から取得するようにしてもかまわない。
【００４０】
以上のように実施形態を構成することにより、一定時刻毎に情報を整理するシステムによって過去の情報を消す場合であっても、パーシャルＴＳそのものにＥＩＴ、ＮＩＴ等を記録して過去の情報を保存しておくことで、未来の情報と過去の情報を保持することが可能となり、従来のシステムでは取得することのできなかった、過去の番組の番組情報を見たり、放送予定の確認を容易に行うことが可能となる。
【００４１】
尚、本発明は上述した実施形態に限定されず、本発明の要旨を逸脱しない範囲内で各種の変形、修正が可能であるのは勿論である。例えば、デジタル放送受信装置の各部の機能をコンピュータプログラム化し、このコンピュータプログラムをデジタル放送受信装置へインストールして実行することでも実現される。また、このコンピュータプログラムを着脱可能な記録媒体に記録したり、ネットワークや放送波を介してダウンロードすることにより、移送が簡単になり容易に実施することができる。
【図面の簡単な説明】
【００４２】
【図１】本発明の実施形態におけるデジタル放送受信装置の構成を示す図である。
【図２】番組表処理部の詳細な機能構成図である。
【図３】現在の番組表の例である。
【図４】過去の番組表の例である。
【符号の説明】
【００４３】
１…デジタル放送受信装置、１１…チューナ、１２…データ分離部、１３…番組表処理部、１３１…番組表表示部、１３２…番組表作成部、１３３…番組表記憶部、１３４…番組表取得部、１４…録画処理部、１５…再生処理部、１６…ＡＶ処理部、１７…ＯＳＤ生成部、１８…合成部、１９…主制御部、２０…記憶部、２１…リモコンインタフェース、２２…ＩＥＥＥ１３９４インタフェース、２３…ネットワークインタフェース、２…受信用アンテナ、３…リモートコントローラ（リモコン）、４…レコーダ、５…インターネット、６…各種サイト（放送内容を配信するサイト、番組表を配信するサイト、情報発信サイトや商品購入サイト等）。
【図１】
2008103971.tif 000003
【図２】
2008103971.tif 000004
【図３】
2008103971.tif 000005
【図４】
2008103971.tif 000006